(57)【要約】【課題】セルのためのスケジューリング方法及びスケジューリングデバイスを提供すること。【解決手段】前記スケジューリング方法は、前記セルの複数の周波数リソース上でのオン／ミュート状態を確定するステップと、前記セルの隣接セルと各自の前記複数の周波数リソース上でのオン／ミュート状態を交換するステップと、前記セルのユーザがフィードバックした様々なチャネル状態情報及び前記隣接セルが前記複数の周波数リソース上でのオン／ミュート状態に基づいてスケジューリングを行うステップとを有する。上記の方法及びデバイスにより、かなり短時間の時間間隔でスケジューリングを行うことができ、且つスケジューリングを実行するときにユーザがフィードバックしたチャネル状態情報が考慮され、スケジューリング結果が無線環境の変化により好適に対応できるため、システムの性能が向上する。【選択図】図２
2014239439.tif 000002
【特許請求の範囲】
【請求項１】
セルのためのスケジューリング方法であって、
前記セルの複数の周波数リソース上でのオン／ミュート状態を確定するステップと、
前記セルの隣接セルと各自の前記複数の周波数リソース上でのオン／ミュート状態を交換するステップと、
前記セルのユーザがフィードバックした様々なチャネル状態情報及び前記隣接セルの前記複数の周波数リソース上でのオン／ミュート状態に基づいてスケジューリングを行うステップと、
を有する方法。
【請求項２】
前記セルの複数の周波数リソース上でのオン／ミュート状態を確定するステップは、
前記セルが前記複数の周波数リソースにおける一つ又は複数の周波数リソース上でミュートされたときのセルの性能ロスを計算するステップと、
前記性能ロスがロス閾値を超えているか否かに基づいて、前記セルの前記一つ又は複数の周波数リソース上でのオン／ミュート状態を確定するステップと、
を有する請求項１に記載の方法。
【請求項３】
前記セルの複数の周波数リソース上でのオン／ミュート状態を確定するステップは、
各々の周波数リソースについてプリスケジューリングを行い、当該周波数リソースに割り当てるユーザを確定するステップと、
当該周波数リソースに割り当てるユーザが周辺ユーザである場合は、当該周辺ユーザの協調セルが当該周波数リソース上でミュートとなるよう請求するミュート請求を前記協調セルに送信するステップと、
隣接セルからの、前記セルが当該周波数リソース上でミュートとなるよう請求するミュート請求を受信するステップと、
送信したミュート請求の数及び受信したミュート請求の数に基づいて、前記セルの当該周波数リソース上でのオン／ミュート状態を確定するステップと、
を有する請求項１に記載の方法。
【請求項４】
いずれかの周波数リソースについて、前記受信したミュート請求の数と送信したミュート請求の数との差が数量閾値より大きいときは、前記セルの当該周波数リソース上でのミュートを確定する請求項３に記載の方法。
【請求項５】
前記セルの複数の周波数リソース上でのオン／ミュート状態を確定するステップは、
各々の周波数リソースに対してプリスケジューリングを行うことにより当該周波数リソースに割り当てるユーザを確定するステップと、
当該周波数リソースに割り当てるユーザが周辺ユーザである場合は、当該周辺ユーザの協調セルが当該周波数リソース上でミュートされたときに前記セルにもたらす性能増幅を示す第１の情報を前記協調セルに送信するステップと、
隣接セルからの、前記セルが当該周波数リソース上でミュートされたときに前記隣接セルにもたらす性能増幅を示す第２の情報を受信するステップと、
第１の情報及び第２の情報に基づいて、前記セルの当該周波数リソース上でのオン／ミュート状態を確定するステップと、
を有する請求項１に記載の方法。
【請求項６】
いずれかの周波数リソースについて、第１の情報の示す性能増幅が第２の情報の示す性能増幅より小さいときに、前記セルの当該周波数リソース上でのミュートを確定する請求項５に記載の方法。
【請求項７】
前記セルのユーザがフィードバックした様々なチャネル状態情報は、前記セルと前記隣接セルの異なるオン／ミュート状態にそれぞれ対応するチャネル状態情報を有する請求項１ないし６のいずれかに記載の方法。
【請求項８】
前記セルのユーザがフィードバックした様々なチャネル状態情報及び前記隣接セルの前記複数の周波数リソース上でのオン／ミュート状態に基づいてスケジューリングを行うステップは、
各々の周波数リソースについて、前記様々なチャネル状態情報から前記隣接セルのオン／ミュート状態に対応するチャネル状態情報を選択するステップと、
選択されたチャネル状態情報に基づいてスケジューリングを行うステップと、
を有する請求項１ないし６のいずれかに記載の方法。
【請求項９】
セルのためのスケジューリングデバイスであって、
前記セルの複数の周波数リソース上でのオン／ミュート状態を確定するプリスケジューリング装置と、
前記セルの隣接セルと各自の前記複数の周波数リソース上でのオン／ミュート状態を交換する通信装置と、
前記セルのユーザがフィードバックした様々なチャネル状態情報と前記隣接セルの前記複数の周波数リソース上でのオン／ミュート状態に基づいてスケジューリングを行うスケジューリング装置と、
を有するデバイス。
【請求項１０】
前記プリスケジューリング装置は、
前記セルが前記周波数リソースにおける一つ又は複数の周波数リソース上でミュートされたときのセルの性能ロスを計算する計算部と、
前記性能ロスがロス閾値を超えているか否かに基づいて、前記セルの前記一つ又は複数の周波数リソース上でのオン／ミュート状態を確定する確定部と、
を有する請求項９に記載のデバイス。
【請求項１１】
前記プリスケジューリング装置は、
各々の周波数リソースについてプリスケジューリングを行い、当該周波数リソースに割り当てるユーザを確定するプリスケジューリング部と、
当該周波数リソースに割り当てるユーザが周辺ユーザである場合は、当該周辺ユーザの協調セルが当該周波数リソース上でミュートとなるよう請求するミュート請求を前記協調セルに送信し、且つ隣接セルからの前記セルが当該周波数リソース上でミュートとなるよう請求するミュート請求を受信する通信部と、
送信したミュート請求の数及び受信したミュート請求の数に基づいて、前記セルの当該周波数リソース上でのオン／ミュート状態を確定する確定部と、
を有する請求項９に記載のデバイス。
【請求項１２】
いずれかの周波数リソースについて、前記受信したミュート請求の数と送信したミュート請求の数との差が数量閾値より大きいときは、前記確定部は前記セルの当該周波数リソース上でのミュートを確定する請求項１１に記載のデバイス。
【請求項１３】
前記プリスケジューリング装置は、
各々の周波数リソースに対してプリスケジューリングを行うことにより当該周波数リソースに割り当てるユーザを確定するプリスケジューリング部と、
当該周波数リソースに割り当てるユーザが周辺ユーザである場合は、当該周辺ユーザの協調セルが当該周波数リソース上でミュートされたときに前記セルにもたらす性能増幅を示す第１の情報を前記協調セルに送信し、且つ隣接セルからの、前記セルが当該周波数リソース上でミュートされたときに前記隣接セルにもたらす性能増幅を示す第２の情報を受信する通信部と、
第１の情報及び第２の情報に基づいて、前記セルの当該周波数リソース上でのオン／ミュート状態を確定する確定部と、
を有する請求項９に記載のデバイス。
【請求項１４】
いずれかの周波数リソースについて、第１の情報の示す性能増幅が第２の情報の示す性能増幅より小さいときに、前記確定部が前記セルの当該周波数リソース上でのミュートを確定する請求項１３に記載のデバイス。
【請求項１５】
前記セルのユーザがフィードバックした様々なチャネル状態情報は、前記セルと前記隣接セルの異なるオン／ミュート状態にそれぞれ対応するチャネル状態情報を有する請求項９ないし１４のいずれかに記載のデバイス。
【請求項１６】
前記スケジューリング装置は、
各々の周波数リソースについて、前記様々なチャネル状態情報から前記隣接セルのオン／ミュート状態に対応するチャネル状態情報を選択する選択部と、
選択されたチャネル状態情報に基づいてスケジューリングを行うスケジューリング部と、
を有する請求項９ないし１４のいずれかに記載のデバイス。
【発明の詳細な説明】
【技術分野】
【０００１】
本発明は無線通信分野に関し、具体的にはセルのためのスケジューリング方法及びスケジューリングデバイスに関する。
【背景技術】
【０００２】
協調マルチポイント（ＣｏＭＰ）伝送技術において、サービングセルと当該サービングセルの隣接セルを含む複数のセル（あるいは基地局）が協調する方式で移動局に信号を送信し／移動局から信号を受信してセルの間の干渉を低減させ、基地局／移動局の受信信号品質を改善することにより通信システムのスループットを向上させる。このためには、複数のセルの間の協調スケジューリングが必要となる。既に集中協調スケジューリング方法が提案されており、このような方法において、セントラルスケジューラが各々のセルのためのスケジューリングの情報（例えばチャネル状態情報）を集中的に処理し、且つこれらの情報に基づいて各々のセルを集中的にスケジューリングする。しかしながら、同時に複数のセルに関する処理とスケジューリングを行う必要があるため、このような集中的にスケジューリングする方式は複雑であり、セントラルスケジューラの処理能力にも高い要求が求められる。
【０００３】
上記の問題を解決するために、分散協調スケジューリングが提案され、複数のセルに対して集中的にスケジューリングを行うのに替えて、各々のセルに一つのスケジューラを設置して当該セルのスケジュールを行うようにする。分散協調スケジューリングは複雑性が低く、スケジューラの処理能力に対する要求も低減する。強化されたセル間干渉協調（ｅＩＣＩＣ）及びフラクショナル周波数繰り返し（ＦＦＲ）という二種類の分散協調スケジューリング方法が既に開発された。ｅＩＣＩＣ方法はヘテロジニアスネットワークにおいて時間領域の協調スケジューリングに用いることができ、ＦＦＲ方法は同質ネットワークにおいて周波数領域の協調スケジューリングに用いることができる。しかしながら、この二つの方法のいずれも半静的協調スケジューリング方法である。例えば、ＦＦＲにおいて、長い時間間隔（例えば数百ミリ秒）でスケジューリングを行うが、これだとスケジューリング結果が無線環境の迅速な変化に対応できなくなってしまい、システムにもたらす性能利得は限定される。
【０００４】
したがって、マルチセル協調の状況において動的に分散スケジューリングを行う方法及びデバイスが必要となる。
【発明の概要】
【発明が解決しようとする課題】
【０００５】
上記の問題点を考慮して本発明を提案する。本発明は、マルチセル協調の状況において分散の方式で各々のセルに対して動的なスケジューリングを行うことができ、スケジューリング結果が無線環境の変化に対応できることにより、有効的にシステムの性能を向上させるセルのためのスケジューリング方法及びスケジューリングデバイスを提供することを一つの目的とする。
【課題を解決するための手段】
【０００６】
本発明の一側面によれば、セルのためのスケジューリング方法であって、前記セルの複数の周波数リソース上でのオン／ミュート状態を確定するステップと、前記セルの隣接セルと各自の前記複数の周波数リソース上でのオン／ミュート状態を交換するステップと、前記セルのユーザがフィードバックした様々なチャネル状態情報及び前記隣接セルが前記複数の周波数リソース上でのオン／ミュート状態に基づいてスケジューリングを行うステップとを有する方法を提供する。
【０００７】
本発明のもう一つの側面によれば、セルのためのスケジューリングデバイスであって、前記セルの複数の周波数リソース上でのオン／ミュート状態を確定するプリスケジューリング装置と、前記セルの隣接セルと各自の前記複数の周波数リソース上でのオン／ミュート状態を交換する通信装置と、前記セルのユーザがフィードバックした様々なチャネル状態情報及び前記隣接セルの前記複数の周波数リソース上でのオン／ミュート状態に基づいてスケジューリングを行うスケジューリング装置とを有するデバイスを提供する。
【発明の効果】
【０００８】
本発明の上記側面のスケジューリング方法及びスケジューリングデバイスによれば、複数のセルに対して集中的にスケジューリングを行うのではなく、周波数域において各々のセルに対して独立してスケジューリングすることができ、スケジューラにとても高い処理能力が必要とならない。また、本発明の上記側面のスケジューリング方法及びスケジューリングデバイスによれば、かなり短い時間間隔（例えば１ミリ秒）でスケジューリングすることができ、且つスケジューリングを実行するときにユーザがフィードバックしたチャネル状態情報を考慮しており、前記チャネル状態情報は無線環境の動的変化を反映するため、従来の半静的スケジューリング方法と比べて、スケジューリング結果がさらに無線環境の変化に対応できるようになり、通信システムの性能を向上させる。
【図面の簡単な説明】
【０００９】
図面を用いて本発明の実施例を詳しく説明することにより、本発明の上記及び他の目的、特徴、メリットがさらに明確になる。
【図１】本発明の実施例の応用場面を例示的に示す。
【図２】本発明の第１の実施例のセルのためのスケジューリング方法のフロー図である。
【図３】図２に示すステップＳ２０１の詳細な操作のフロー図である。
【図４】本発明の第２の実施例による前記セルが複数の周波数サブバンド上のオン／ミュート状態を確定する詳細な操作のフロー図である。
【図５】本発明の第３の実施例による前記セルが複数の周波数サブバンド上のオン／ミュート状態を確定する詳細な操作のフロー図である。
【図６】本発明の実施例によるセルのためのスケジューリングデバイスを示すブロック図である。
【図７】図６に示すスケジューリング装置６０３の例示的構造を示すブロック図である。
【図８】図６に示すプリスケジューリング装置６０１の第１の例示的構造を示すブロック図である。
【図９】図６に示すプリスケジューリング装置６０１の第２の例示的構造を示すブロック図である。
【図１０】図６に示すプリスケジューリング装置６０１の第３の例示的構造を示すブロック図である。
【発明を実施するための形態】
【００１０】
以下、図面を参照して本発明の実施例によるセルのためのスケジューリング方法及びスケジューリングデバイスを説明する。図面において、同一の参考符号は終始同一のコンポーネントを示す。ここで説明される実施例は説明的なものに過ぎず、本発明の範囲を限定するものと解釈すべきではないことを理解すべきである。
【００１１】
まず、図１Ａと図１Ｂを参照して本発明の実施例の例示的応用場面を説明する。
【００１２】
図１Ａは一つ目の例示的応用場面を示す。当該場面は集中無線アクセスネットワーク（Ｃ−ＲＡＮ）アーキテクチャに基づき、制御部（例えばベースバンド部（ＢＢＵ））と当該ベースバンド部に接続される複数の（簡潔にするため、図１Ａには三つ示している）リモート無線ヘッド（ＲＲＨ）により集中式基地局ｅＮＢを形成し、各々のＲＲＨは一つのセルを形成することができる。この三つのセルはＣｏＭＰの協調群を構成する。各々のセル（又はＲＲＨ）のために一のＢＢＵを設置し、前記ＢＢＵにスケジューラとしてセルに対応するスケジューリングを行わせることができる。図１Ｂは二つ目の例示的応用場面を示しており、三つの基地局ｅＮＢはそれぞれ三つのセルを形成する。この三つのセルは協調群を形成する。それぞれのｅＮＢに一つのスケジューラ（図に示さず）を設置し、対応するセルのスケジューリングを行わせることができる。図１Ａ及び図１Ｂには三つのＲＲＨ及び三つのｅＮＢのみを示しているが、ＲＲＨ及びｅＮＢの数量は３に限らず、実際の需要に基づいて確定されたいかなる適当な数量であってもよいことを認識しなければならない。
【００１３】
次に、図２を参照して本発明の第１の実施例によるセルのためのスケジューリング方法を説明する。上記のように、当該方法は、対応するセルのスケジューリングを行えるよう、各々のセルのためのスケジューラ又はＢＢＵ（例えば図１Ａに示すＢＢＵ１、ＢＢＵ２又はＢＢＵ３）により実行されてもよく、これによりマルチセル協調の状況で分散式スケジューリングを実現する。本発明の実施例において、周波数サブバンド又はリソースブロックを前記周波数リソースの例とするが、前記周波数リソースはスケジューリングの基本単位として用いられる他の類型の周波数リソースであってもよいことを認識しなければならない。
【００１４】
図２に示すように、スケジューリングを実行しようとするセルに対して、ステップＳ２０１において、前記セルが複数の周波数サブバンド上でのオン／ミュート状態を確定する。以下の記載において、説明の便宜のため、当面のスケジューリングを実行しようとするセルをサービングセルという。
【００１５】
ＣｏＭＰ伝送技術において、同一の協調群に属する複数のセルに対して各セルの送信及び受信を協調させるために協調スケジューリングを行うことにより、セル間の干渉を低減させる。本発明の実施例において、前記複数の周波数サブバンドにおける各々の周波数サブバンドに対して選択的に前記複数のセルのうちの一つ又はより多くのセルをミュート（ｍｕｔｅ）し、即ち前記一つ又はより多くのセルに前記周波数サブバンドでデータを送信させないようにして他のセルが受ける干渉を減少させる。したがって、各々のセルが各周波数サブバンド上でのオン／ミュート状態（又はオン／ミュートパターン（ｐａｔｔｅｒｎ））、すなわち各々のセルが各周波数サブバンド上でオンまたはミュートであるかを確定する必要があり、これをセルのプリスケジューリングと称してもよい。
【００１６】
以下、図３を参照してステップＳ２０１において前記サービングセルが複数の周波数サブバンド上でのオン／ミュート状態を確定する方法をさらに詳しく説明する。
【００１７】
図３に示すように、ステップＳ２０１１において、サービングセルが前記複数の周波数サブバンドにおける各々の周波数サブバンド上でミュートされたときのサービングセルの性能ロスを計算する。
【００１８】
具体的には、全部でｎの周波数サブバンドがあるとした場合、サービングセルがすべてのｎの周波数サブバンド上でいずれもミュートしないときに取得できる当該サービングセルの最大性能Ｐｍａｘを計算してもよい。そのために、各周波数サブバンド上でスケジューリングを行って、各周波数サブバンドに割り当てるユーザを確定してもよい。例えば、各周波数サブバンドに対して、サービングセルの各ユーザがフィードバックしたＣＳＩ（以下に記載するように）に基づいて当該ユーザに対応する性能を計算し、且つ性能が最も優れているユーザを当該周波数サブバンドに割り当てるユーザとすることができる。そして、各周波数サブバンドに割り当てるユーザが通信により取得できるサービングセルの性能の和を概算し、これがサービングセルの最大性能に対応する。前記性能は、セルのスループットであってもよく、この場合は各周波数サブバンド上で割り当てられたユーザが実現するスループットの和を計算し、当該サービングセルの最大性能としてもよい。各周波数サブバンド上で取得できるサービングセルの性能を概算する方法は本分野において公知であるため、ここでは説明しないこととする。
【００１９】
続いて、サービングセルが前記複数の周波数バンドにおける各々の周波数サブバンド上でミュートされたときのサービングセルの性能を計算してもよい。具体的には、サービングセルがこのｎの周波数サブバンドにおける第１の周波数サブバンド上でミュートされたときのセル性能Ｐｓｂ1−ｍｕｔｅを計算してもよい。例えば、第１の周波数サブバンド以外の他の各々の周波数サブバンド上でスケジューリングを行い、他の各々の周波数サブバンドに割り当てるユーザを確定し、第１の周波数サブバンド以外の他の各々の周波数サブバンド上で割り当てられたユーザが通信により取得できるサービングセルの性能Ｐｓｂ1−ｍｕｔｅを計算してもよい。同じように、サービングセルが第２の周波数サブバンド、第３の周波数サブバンド、・・・第ｎの周波数サブバンド上でミュートされたときに取得できるサービングセルの性能Ｐｓｂ2−ｍｕｔｅ、Ｐｓｂ3−ｍｕｔｅ、…、Ｐｓｂｎ−ｍｕｔｅを計算してもよい。
【００２０】
その後、サービングセルの最大性能Ｐｍａｘとサービングセルが各周波数サブバンド上でミュートされたときのセルの性能Ｐｓｂ1−ｍｕｔｅ、Ｐｓｂ2−ｍｕｔｅ、Ｐｓｂ3−ｍｕｔｅ、…、Ｐｓｂｎ−ｍｕｔｅに基づいて、サービングセルが各々の周波数サブバンド上でミュートされたときのセル性能ロスを計算してもよい。本発明の実施例において、サービングセルが各々の周波数サブバンド上でミュートされたときのセルの性能Ｐｓｂ1−ｍｕｔｅ、Ｐｓｂ2−ｍｕｔｅ、Ｐｓｂ3−ｍｕｔｅ、…、Ｐｓｂｎ−ｍｕｔｅと前記最大性能Ｐｍａｘの間の比率ｒｓｂ1−ｍｕｔｅ、ｒｓｂ2−ｍｕｔｅ、ｒｓｂ3−ｍｕｔｅ、…、ｒｓｂｎ−ｍｕｔｅをそれぞれ計算してもよく、当該比率はサービングセルが各々の周波数サブバンド上でミュートされることによる前記最大性能Ｐｍａｘに対するセル性能の低減度合いを反映できるため、間接的に前記性能ロスを反映することができる。もう一つの実施例において、サービングセルの最大性能Ｐｍａｘとサービングセルが各周波数サブバンド上でミュートされたときのセルの性能Ｐｓｂ1−ｍｕｔｅ、Ｐｓｂ2−ｍｕｔｅ、Ｐｓｂ3−ｍｕｔｅ、…、Ｐｓｂｎ−ｍｕｔｅの間の差を計算し、且つそれぞれの差と前記最大性能Ｐｍａｘの間の比率により前記性能ロスを直接的に反映してもよい。さらにもう一つの実施例において、直接前記それぞれの差を前記性能ロスとしてもよい。
【００２１】
続いて、ステップＳ２０１２において、サービングセルがそれぞれの周波数サブバンド上でミュートされたときにサービングセルの性能ロスがロス閾値を超えているか否かに基づいて、サービングセルが当該周波数サブバンド上のオン／ミュート状態を確定する。本発明の実施例において、比率ｒｓｂ１−ｍｕｔｅ、ｒｓｂ２−ｍｕｔｅ、ｒｓｂ３−ｍｕｔｅ、…、ｒｓｂｎ−ｍｕｔｅをそれぞれ比率閾値ｒｔｈｒｅｓｈｏｌｄと比較し前記性能ロスがロス閾値を超えているか否かを確定する。ただし、ロス閾値は１−ｒｔｈｒｅｓｈｏｌｄと計算してもよい。例えば、周波数サブバンドｉ（１≦ｉ≦ｎ）に対応する比率ｒｓｂｉ−ｍｕｔｅが比率閾値ｒｔｈｒｅｓｈｏｌｄより大きいとき、これは、サービングセルが周波数サブバンドｉ上でミュートされるとサービングセルの性能ロスはロス閾値より小さいことになり、すなわち、当該周波数サブバンド上でサービングセルをミュートすることによる当該サービングセルの性能への影響が比較的小さいことを意味するので、サービングセルが当該周波数サブバンド上でのオン／ミュート状態がミュートであると確定してもよい。その反面、比率ｒｓｂｉ−ｍｕｔｅが比率閾値ｒｔｈｒｅｓｈｏｌｄより小さいとき、これは、サービングセルが周波数サブバンドｉ上でミュートされるとサービングセルの性能ロスはロス閾値より大きいことになり、すなわち、当該周波数サブバンド上でサービングセルをミュートすることによる当該サービングセルの性能への影響が比較的大きいことを意味するので、当該サービングセルをミュートすべきでないと確定してもよい。以上からわかるように、前記比率閾値が大きいほど、すなわちロス閾値が小さいほど、サービングセルは少なくの周波数サブバンド上でミュートされ、逆に、前記比率閾値が小さいほど、すなわちロス閾値が大きいほど、サービングセルは多くの周波数サブバンド上でミュートされる。前記比率閾値は設計の需要及び／又は他の要素に基づいて柔軟的に設定することができる。比率閾値を固定値に設定することができる。例えば、当該比率閾値を（ｎ−１）／ｎに設定することができる。これは、サービングセルが少なくとも一つの周波数サブバンド上でミュートされることを意味する。または、当該比率閾値を０．９５（対応するロス閾値は５％）と設置することができる。したがって、比率ｒｓｂｉ−ｍｕｔｅが９５％を超えているときは、前記セルが当該周波数サブバンドｉ上でミュートされ、さもなければ前記セルが当該周波数サブバンドｉ上でオンになる。また、比率閾値を可変の値に設定することもできる。例えば、比率閾値をネットワークのトラフィックロードに基づいて動的に変化する値に設定し、トラフィックロードが比較的大きいときは比率閾値を増大させ、それにより前記セルはその上でミュートする可能性がある周波数サブバンドが減少し、トラフィックロードが比較的小さいときは比率閾値を減少させ、それにより前記セルがその上でミュートする可能性がある周波数サブバンドが増加する。
【００２２】
各々の周波数サブバンドに対して図３に示す操作を実行することにより、前記セルの各々の周波数サブバンド上でのオン／ミュート状態を確定することができる。
【００２３】
図２に戻り、ステップＳ２０２において、前記サービングセルの隣接セルと各自の前記複数の周波数サブバンド上のオン／ミュート状態（又はオン／ミュートパターン）を交換する。例えば、バックホール（ｂａｃｋｈａｕｌ）回路を通じてサービングセルと隣接セルの間で各自の前記複数の周波数サブバンド上のオン／ミュート状態を交換する。このようにして、集中的に協調する各々のセルはいずれも他のセルの各周波数サブバンド上のオン／ミュート状態を知ることができる。
【００２４】
その後、ステップＳ２０３において、サービングセルのユーザ（移動局）がフィードバックした様々なチャネル状態情報及び隣接セルの前記複数の周波数サブバンド上でのオン／ミュート状態に基づいてスケジューリングを行う。
【００２５】
具体的には、各々の周波数サブバンドについて、サービングセルのユーザ（移動局）に対してスケジューリングを行うために、当該ユーザとサービングセルの基地局の間の無線チャネル状況を知る必要がある。そのために、当該ユーザから前記無線チャネル状況を反映したチャネル状態情報（ＣＳＩ）、例えばチャネル品質指標（ＣＱＩ）を基地局にフィードバックしてもよい。本発明の実施例において、各々の周波数サブバンドについて、ユーザからサービングセルと前記隣接セルの異なるオン／ミュート状態に対応する様々なＣＳＩをフィードバックしてもよい。例えば、協調群が複数のセルを含む場合、これらのセルはすべてオン、すべてミュート、及び一部オン且つ一部ミュートなどの様々なオン／ミュート状態を有してもよい。前記サービングセルと前記隣接セルの異なるオン／ミュート状態はこれらのオン／ミュート状態のうちの全部又は一部であってもよい。具体的には、前記ユーザはこれらのオン／ミュート状態のうちの全部又は一部に対応するＣＳＩを計算し、且つそれをサービングセル（基地局）にフィードバックしてもよい。前記ユーザが各種のオン／ミュート状態に対応するＣＳＩを計算する具体的方法は本分野において公知であるため、ここでは説明しないこととする。本発明の実施例において、前記ユーザはサービングセルの周辺ユーザであってもよく、他の実施例において、前記ユーザはサービングセルのいかなるユーザであってもよい。
【００２６】
ステップＳ２０２においてサービングセルの隣接セルの各周波数サブバンド上でのオン／ミュート状態を既に知得しているため、各々の周波数サブバンドについて、ユーザがフィードバックした様々なＣＳＩの中から前記隣接セルのオン／ミュート状態に対応するＣＳＩを選択し、選択されたＣＳＩに基づいてスケジューリングを行ってもよい。例えば、当該周波数サブバンドに割り当てるユーザのＭＣＳレベルの選択をして、ユーザが当該ＭＣＳレベルを使用してデータの伝送を行う。例えば、協調群に二つのセル（すなわちサービングセルと一つの隣接セル）が含まれている場合、いずれかの周波数サブバンドについてサービングセルのオン／ミュート状態がオンであり、隣接セルのオン／ミュート状態がミュートであれば、ユーザがフィードバックした様々なＣＳＩの中からサービングセルがオンであり且つ隣接セルがミュートの状態に対応するＣＳＩを選択して前記スケジューリングを行ってもよい。もう一つの例示として、協調群に三つのセル（サービングセル、隣接セル１、隣接セル２）が含まれている場合、いずれかの周波数サブバンドについてサービングセルのオン／ミュート状態がオンであり、隣接セル１のオン／ミュート状態がオンであり、隣接セル２のオン／ミュート状態がミュートであり、且つ当該周波数サブバンドに割り当てるユーザの協調セルがセル３であれば、当該周波数サブバンドに割り当てるユーザがフィードバックする様々なＣＳＩの中からサービングセルがオンであり、隣接セル１がオンであり、隣接セル２がミュートの状態に対応するＣＳＩを選択し、当該ＣＳＩにもとづいて前記スケジューリングを行ってもよい。
【００２７】
本発明の第１の実施例によるスケジューリング方法において、ユーザがフィードバックした様々なチャネル状態情報及び隣接セルの前記複数の周波数サブバンド上でのオン／ミュート状態に基づきスケジューリングを行い、スケジューリングによりユーザが選択したＭＣＳレベルがスケジューリングするときの無線チャネル状態により好適に対応できるようにスケジューリングを行うことで、すなわちスケジューリング結果が無線環境の変化により好適に対応できるようにし、これによりシステム性能、例えばシステムのスループットを向上させる。
【００２８】
上記の本発明の第１の実施例によるスケジューリング方法は説明的なものであり、限定的なものではないことを認識しなければならない。当業者は本発明の趣旨及び範囲を逸脱することなく、設計の需要に基づいて変更することができる。例えば、上記ステップＳ２０１において、サービングセルが一の周波数サブバンド上でミュートされたときのサービングセルの性能ロスを計算し、且つ当該性能ロスがロス閾値を超えているか否かに基づいてサービングセルが当該周波数サブバンドでのオン／ミュート状態を確定する。代替的に、サービングセルが二つ又はより多くの周波数サブバンド上でミュートされたときのサービングセルの性能ロスを計算し、且つ当該性能ロスがロス閾値を超えているか否かに基づいて、サービングセルが前記二つ又はより多くの周波数サブバンド上でのオン／ミュート状態を確定するようにしてもよい。この場合、上記のようにサービングセルの最大性能Ｐｍａｘを計算し、そしてサービングセルが前記二つ又はより多くの周波数サブバンド上で同時にミュートされたときのサービングセルの性能を計算し、これによりサービングセルが前記二つ又はより多くの周波数サブバンド上で同時にミュートされたときのサービングセルの性能ロスを取得してもよい。その後、前記性能ロスがロス閾値を超えているか否かに基づいてサービングセルが前記二つ又はより多くの周波数サブバンド上でのオン／ミュート状態を確定してもよい。例えば、前記性能ロスがロス閾値を超えているときは、サービングセルが前記二つ又はより多くの周波数サブバンド上でオンされたと確定してもよく、前記性能ロスがロス閾値を超えていないときは、サービングセルが前記二つ又はより多くの周波数サブバンド上で同時にミュートされたと確定してもよい。前記ロス閾値が上記のような設定であってもよく、ここでは説明しないこととする。
【００２９】
本発明の第１の実施例によるスケジューリング方法においてステップＳ２０１でサービングセルが複数の周波数サブバンド上でのオン／ミュート状態を確定するとき、サービングセルの情報（例えばＣＳＩ）のみを考慮し、隣接基地局の情報を考慮しない。協調群全体の視点からみて、このように確定されたオン／ミュート状態は最も適切であるとは限らない。具体的には、当該方法はサービングセル自身の性能ロスが比較的小さいことを保証したうえで当該サービングセルをミュートして、隣接セルへの干渉を減少させようとするが、オン／ミュート状態を確定するときに隣接セルを考慮しないため、いずれかの周波数サブバンド上でサービングセルのオン／ミュート状態がミュートに確定されたとき、二種類の結果が発生することがある：（１）サービングセルがミュートされることにより当該サービングセルの性能が低下するが、隣接セルはこれにより比較的大きな性能の増幅を得ることができ、この場合は協調群全体の視点からみて、確定されたオン／ミュート状態は適切であると認識できる。（２）サービングセルがミュートされることにより当該サービングセルの性能が低下し、同時にサービングセルの自己犠牲が隣接セルに比較的大きな性能の増幅をもたらすことができず、この場合は確定されたオン／ミュート状態は不適切である。この問題を解決するために、本発明の第２の実施例によるスケジューリング方法を提案し、この方法において、サービングセルのオン／ミュート状態を確定するときに隣接セルからの情報を考慮する。
【００３０】
本発明の第１の実施例によるスケジューリング方法の各ステップＳ２０１−Ｓ２０３と比べて、本発明の第２の実施例による方法の異なる点はステップＳ２０１（すなわち、サービングセルの各周波数サブバンド上でのオン／ミュート状態を確定する）を実行する具体的な形態だけが異なる。簡易化のため、以下において、当該異なる点のみを説明し、同一の部分の詳しい説明を省略する。
【００３１】
図４は本発明の第２の実施例によるセルのためのスケジューリング方法においてステップＳ２０１（すなわちサービングセルが前記複数の周波数サブバンド上でのオン／ミュート状態を確定する）の具体的な形態を示す。
【００３２】
図４に示すように、ステップＳ２０１１’において、前記複数の周波数サブバンドにおける各々の周波数サブバンドに対してプリスケジューリングをし、当該周波数サブバンドに割り当てるユーザを確定する。上記の図３を参照して説明した方法により各々の周波数サブバンドに割り当てるユーザを確定してもよい。
【００３３】
続いて、ステップＳ２０１２’において、各々の周波数サブバンドについて、割り当てられたユーザが周辺ユーザか否かを確定し、割り当てられたユーザが周辺ユーザである場合は、当該周辺ユーザの協調セル（隣接セル）に前記協調セルが当該周波数サブバンド上でのミュートを請求するミュート請求を送信する。注意すべきことは、いずれかの周波数サブバンドに割り当てられたユーザが周辺ユーザでない場合は、前記ミュート請求を送信せず、言い換えれば、当該周波数サブバンドについてステップＳ２０１２’を実行しなくてもよい。割り当てられたユーザが周辺ユーザか否かについては、本分野において公知のいかなる方法により確定することができ、その詳しい説明を省略する。
【００３４】
その後、ステップＳ２０１３’において、隣接セルからサービングセルが当該周波数サブバンド上でミュートとなるよう請求するミュート請求を受信する。具体的には、集中的に協調する隣接セルも本発明の第２の実施例によるスケジューリング方法を実行するため、隣接セルもサービングセルに対して前記ミュート請求を送信する可能性があり、対応してサービングセルは隣接セルからのミュート請求を受信してもよい。
【００３５】
続いて、ステップＳ２０１４’において、送信したミュート請求の数及び受信したミュート請求の数に基づいてサービングセルの当該周波数サブバンド上でのオン／ミュート状態を確定する。
【００３６】
具体的には、各々の周波数サブバンドのためにカウンタを設置し、その初期値を０に設定してもよく、サービングセルが他のセルにミュート請求を送信するたびに、当該カウンタの値を１減少させ、サービングセルが隣接セルからのミュート請求を受信するたびに、当該カウンタの値を１増加させてもよい。したがって、前記カウンタの値はサービングセルが受信したミュート請求の数と送信したミュート請求の数の差となり、当該カウンタの値を用いてサービングセルが当該周波数サブバンド上でのオン／ミュート状態を確定してもよい。例えば、一の数量閾値を設定し、且つカウンタの値が当該数量閾値を超えているか否かによってサービングセルが当該周波数サブバンド上でミュートされるべきか否かを確定する。前記数量閾値は、種々の要素（例えばセルの密集度）によっていかなる適切な値に柔軟に設定してもよい。好ましくは、前記数量閾値を１以上の値、例えば１又は２に設定する。前記数量閾値を１に設定する例示において、いずれかの周波数サブバンドについて、カウンタの値が当該数量閾値１を超える場合は、受信されたミュート請求が送信したミュート請求より少なくとも１多い、言い換えればサービングセルのミュートを請求する隣接セルの数がサービングセルにミュート請求される隣接セルの数より多いことを意味するため、サービングセルをミュートしてサービングセルにより大きな性能増幅を取得させ、反対の場合はサービングセルをオンにしてサービングセルにより大きな性能増幅を取得させる。設定する数量閾値が大きいほど、サービングセルがミュートされにくく、言い換えれば協調群の各セルにおいてミュートされるセルが少なくなることがわかる。
【００３７】
上記のようにサービングセルが各周波数サブバンド上でのオン／ミュート状態を確定した後、図２を参照して説明したステップＳ２０２とＳ２０３と同一のステップを実行してもよく、これによりセルユーザのスケジューリングを実現する。ここでは説明しないこととする。
【００３８】
本発明の第２の実施例によるスケジューリング方法において、サービングセルが隣接セルに送信するミュート請求及び隣接セルからサービングセルに送信されるミュート請求の相対的な数量を考慮してサービングセルのオン／ミュート状態を確定する。これにより、サービングセルのオン／ミュート状態を確定するときに隣接セルの性能にもたらす影響も配慮されるため、隣接セルの性能に顕著な悪影響をもたらすことを極力防止する。
【００３９】
以下、本発明の第３の実施例によるセルのためのスケジューリング方法を説明する。本発明の第１の実施例によるスケジューリング方法における各ステップＳ２０１−２０３と比べて、本発明の第３の実施例による方法の異なる点は、ステップＳ２０１（すなわち、サービングセルの各周波数サブバンド上でのオン／ミュート状態を確定する）を実行する具体的な形態だけが異なり、同じく隣接基地局からの情報を考慮する。簡易化のため、以下において、当該異なる点のみを説明し、同一の部分の説明を省略する。
【００４０】
以下、図５を参照して本発明の第３の実施例によるセルのためのスケジューリング方法において、ステップＳ２０１（すなわち、サービングセルの各周波数サブバンド上でのオン／ミュート状態を確定する）を実行する具体的な形態を説明する。
【００４１】
図５に示すように、ステップＳ２０１１’’において、前記複数の周波数サブバンドにおける各々の周波数サブバンドに対してプリスケジューリングを行い、当該周波数サブバンドに割り当てるユーザを確定する。上記の図３を参照して説明した方法により各々の周波数サブバンドに割り当てるユーザを確定してもよい。
【００４２】
ステップＳ２０１２’’において、各々の周波数サブバンドについて、割り当てられたユーザが周辺ユーザか否かを確定し、割り当てられたユーザが周辺ユーザである場合は、当該周辺ユーザの協調セルに第１の情報を送信する。ただし、当該第１の情報は、前記協調セルが当該周波数リソース上でミュートされたときに前記セルにもたらす性能増幅（前記協調セルがミュートされないときと比べて）を示す。
【００４３】
具体的には、各々の周波数サブバンドについて、予め性能増幅表を定義し、当該周波数サブバンド上で集中的に協調する各セルが他のセルのミュートにより得られる性能増幅の全体的範囲を複数の区間に分け、且つ対応する複数ビット情報により各々の区間を示してもよい。例えば、全体的な性能増幅範囲を四区間に分け、二ビットの値により各々の区間を示し、この場合において、前記性能増幅表の一つの例示は以下の表１に示すとおりである。
【表１】
2014239439.tif 000003
【００４４】
このように、サービングセルのスケジューリングを行うとき、いずれかの周波数サブバンドについて割り当てられたユーザが周辺ユーザであれば、当該ユーザの協調セルがミュートされたときにサービングセルが取得できる性能増幅を確定し、且つ上記の性能増幅表に基づいて前記協調セルに対応する前記性能増幅を示す情報（すなわち第１の情報）を送信し、これにより前記協調セルが当該第１の情報を受信したときは、当該性能増幅表に基づき、自己がミュートされたときに前記サービングセルにもたらす性能増幅を知ることができる。例えば、前記性能増幅が４であるときは、協調セルに二進法の値「１０」を前記第１の情報として送信し、これにより当該二進法の値を受信した協調セルに自己のミュートがサービングセルにもたらす性能増幅が区間（３，５）にあることを取得させる。注意すべきことは、いずれかの周波数サブバンドに割り当てるユーザが周辺ユーザでない場合は、第１の情報を送信せず、言い換えれば当該周波数サブバンドについてステップＳ２０１２’’を実行しなくてもよい。
【００４５】
続いて、ステップ２０１３’’において隣接セルからの第２の情報を受信する。当該第２の情報はサービングセルが当該周波数サブバンド上でミュートされたときに前記隣接セルにもたらす性能増幅を示す。具体的には、集中的に協調する隣接セルも本発明の第３の実施例によるスケジューリング方法を実施するため、隣接セルも上記の方法によりサービングセルにサービングセルが当該周波数サブバンド上でミュートされたときに前記隣接セルにもたらす性能増幅を示す情報すなわち第２の情報を送信する。対応して、サービングセルは当該第２の情報を受信してもよい。
【００４６】
その後、２０１４’’において、第１の情報と第２の情報に基づいて前記セルの当該周波数サブバンド上でのオン／ミュート状態を確定する。例えば、当該周波数バンドについて、サービングセルが送信した第１の情報が示す性能増幅（又は性能増幅の和）が隣接セルから受信した第２の情報が示す性能増幅（又は性能増幅の和）より小さい場合は、サービングセルが当該周波数サブバンド上でのオン／ミュート状態がミュートであると確定し、その逆である場合はサービングセルが当該周波数サブバンド上でオンであると確定する。具体的には、各々の周波数サブバンドのためにカウンタを設置し、その初期値を０に設定する。また、異なる性能増幅区間に異なる増分を与えて、異なる性能増幅区間を示す第２の情報を受信したときはカウンタの値に対応する増分を増加させ、異なる性能増幅区間を示す第１の情報を送信したときはカウンタの値に対応する増分を減少させてもよい。そして、カウンタの値が予定閾値より大きいか否かによってサービングセルの当該周波数サブバンド上でのオン／ミュート状態を確定する。前記予定閾値は設計の必要により柔軟に設置でき、例えば０である。表１に示す例示において、例えば二進法の値「００」を送信又は受信した場合はカウンタの値を変化させずに保持し、二進法の値「０１」を送信又は受信した場合はカウンタの値を２減少／増加させ、二進法の値「１０」を送信又は受信した場合はカウンタの値を４減少／増加させ、二進法の値「１１」を送信又は受信した場合はカウンタの値を６減少／増加させてもよい。そして、カウンタの値を予め設定した閾値０と比較する。カウンタの値が０より大きい場合は、サービングセルのミュートが隣接セルにもたらす性能増幅は隣接セルのミュートがサービングセルにもたらす性能増幅より大きいことを示し、協調群全体の視点から考慮して、サービングセルをミュートすべきである。逆に、カウンタの値が０より小さい場合は、サービングセルのミュートが隣接セルにもたらす性能増幅は隣接セルのミュートがサービングセルにもたらす性能増幅より小さいことを示し、協調群全体の視点から考慮して、サービングセルをオンにすべきである。
【００４７】
上記のサービングセルの複数の周波数サブバンド上でのオン／ミュート状態を確定した後、図２を参照して説明したステップＳ２０２及びＳ２０３と同一のステップを実行し、これによりセルユーザのスケジューリングを実現してもよい。ここでは説明しないこととする。
【００４８】
本発明の第１の実施例によるスケジューリング方法と比べて、本発明の第３の実施例によるスケジューリング方法はサービングセルの各周波数サブバンド上でのオン／ミュート状態を確定するとき、隣接セルからの情報も考慮し、これにより隣接セルの性能に対してもたらす影響も配慮されため、隣接セルの性能に顕著な悪影響をもたらすことを防止する。また、本発明の第２の実施例によるスケジューリング方法と比べて、本発明の第３の実施例によるスケジューリング方法において、前記第１の情報と第２の情報がサービングセルのミュートにより隣接セルにもたらす性能増幅及び隣接セルのミュートによりサービングセルにもたらす性能増幅をより正確に表すため、このようにして得られたスケジューリング結果は集中的に協調する各々のセルの性能を総合的に考慮しており、有効的に協調群全体の性能を向上させる。
【００４９】
次に、図６を参照して本発明の実施例によるセルのためのスケジューリングデバイスを説明する。当該デバイスは上記のセルのためのスケジューリング方法を実行できる。上記のように、集中的に協調する各々のセルにスケジューリングデバイスを設置する。例えば、図１Ａ及び図１Ｂに示す応用場面において、セル１−３にそれぞれスケジューリングデバイスを設置する。この三つのスケジューリングデバイスはバックホール回路を介して相互に接続される。これらのスケジューリングデバイスはＢＢＵとして図１に示す制御部の中に設置され、又は図Ｂに示す各ｅＮＢの中にそれぞれ設置されてもよい。図６において、それぞれセル１−３のための三つのスケジューリングデバイスを示しており、これらの構造及び操作は基本的に同一であるため、以下においてセル１のためのスケジューリングデバイス６００を例に説明することとする。
【００５０】
図６に示すように、スケジューリングデバイス６００は、プリスケジューリング装置６０１と、通信装置６０２と、スケジューリング装置６０３と、を有する。
【００５１】
プリスケジューリング装置６０１は、サービングセル（図６においてはセル１）の複数の周波数サブバンド上でのオン／ミュート状態（すなわちオン／ミュートパターン）を確定する。様々な方法でプリスケジューリング装置６０１を実現してもよく、プリスケジューリング装置６０１の詳しい説明については後述する。
【００５２】
通信装置６０２は、サービングセルの隣接セル（図６においてはセル２及び３）と各自の前記複数の周波数サブバンド上でのオン／ミュート状態を交換する。例えば、通信装置６０２はバックホール回路を介して隣接セルの通信装置（示さず）と通信し、前記オン／ミュート状態を交換する。
【００５３】
スケジューリング装置６０３は、サービングセルのユーザがフィードバックした様々なＣＳＩ及び隣接セルの前記複数の周波数サブバンド上でのオン／ミュート状態に基づいてスケジューリングを行う。上記のように、前記様々なＣＳＩはそれぞれ前記セル及び前記隣接セルの異なるオン／ミュート状態に対応するＣＳＩを含む。図７はスケジューリング装置６０３の具体的構造を示す。図７に示すように、スケジューリング装置６０３は選択部６０３１とスケジューリング部６０３２を含んでもよい。選択部６０３１は各々の周波数サブバンドについて前記複数のＣＳＩから前記隣接セルのオン／ミュート状態に対応するＣＳＩを選択してもよい。スケジューリング部６０３２は、選択されたＣＳＩに基づいてスケジューリングを行ってもよい。例えば、スケジューリング部６０３２は選択されたＣＳＩに基づいて当該周波数サブバンドに割り当てたユーザについてスケジューリングを行い、当該ユーザのＭＣＳレベルを選択し、ユーザが当該ＭＣＳレベルを用いてデータの伝送を行うようにする。選択部６０３１とスケジューリング部６０３２は上記の図２を参照して説明した方法によりその操作を実行してもよく、ここでは簡易化のため詳しい説明を省略することとする。
【００５４】
次に、プリスケジューリング装置６０１を詳しく説明する。後述するように、様々な方法によりプリスケジューリング装置６０１を実現できる。
【００５５】
図８は、プリスケジューリング装置６０１の一つ目の例示的構造である。図８に示すように、プリスケジューリング装置６０１は計算部６０１１と確定部６０１２を有する。計算部６０１１はサービングセルが前記周波数サブバンドのうちの一つ又は複数の周波数サブバンド上でミュートされたときにサービングセルの性能ロスを計算してもよい。上記のように、計算部６０１１はサービングセルが各々の周波数サブバンド上でミュートされたときのサービングセルの性能ロスを計算してもよく、サービングセルが二つ又はより多くの周波数サブバンド上で同時にミュートされたときのサービングセルの性能ロスを計算してもよい。確定部６０１２は当該性能ロスがロス閾値を超えているか否かに基づいてサービングセルの前記一つまたは複数の周波数サブバンド上でのオン／ミュート状態を確定する。計算部６０１１と確定部６０１２は上記の図３を参照して説明した方法により各自の操作を実行してもよく、ここでは重複を避けるため詳しい説明を省略することとする。
【００５６】
図９はプリスケジューリング装置６０１の二つ目の例示的構造である。図９に示すように、プリスケジューリング装置６０１は、プリスケジューリング部６０１１’と、通信部６０１２’と、確定部６０１３’と、を含む。
【００５７】
プリスケジューリング部６０１１’は各々の周波数サブバンドに対してプリスケジューリングを行い、当該周波数サブバンドに割り当てるユーザを確定する。また、プリスケジューリング部６０１１’は、各周波数サブバンドに割り当てるユーザが周辺ユーザであるか否かをも確定してもよい。プリスケジューリング部６０１１’は、上記の図４を参照して説明した方法でプリスケジューリングを実行し、且つ周辺ユーザを確定してよく、ここではその詳しい説明を省略することとする。
【００５８】
通信部６０１２’は、当該周波数サブバンドに割り当てるユーザが周辺ユーザである場合、当該周辺ユーザの協調セルに前記協調セルの当該周波数サブバンド上でのミュートを請求するミュート請求を送信する。また、通信部６０１２’は、さらに、隣接セルからの前記セルの当該周波数サブバンド上でのミュートを請求するミュート請求を受信してもよい。通信部６０１２’はバックホール回路を通じて協調セルに前記ミュート請求を送信し、隣接セルから送信されたミュート請求を受信してもよい。同じように、前記ユーザが周辺ユーザでない場合は、通信部６０１２’は上記送信操作を実行しなくてもよい。
【００５９】
確定部６０１３’は送信したミュート請求の数と受信したミュート請求の数に基づいてサービングセルの当該周波数サブバンド上でのオン／ミュート状態を確定してもよい。例えば、いずれかの周波数サブバンドについて、受信したミュート請求の数と送信したミュート請求の数の差が予定の数量閾値より大きいときは、確定部６０１３’は前記サービングセルの当該周波数サブバンド上でのミュートを確定してもよい。確定部６０１３’は上記の図４を参照して説明した方法により前記セルのオン／ミュート状態を確定してもよく、ここでは説明しないこととする。また、上記の方法により前記数量閾値を設定してもよい。
【００６０】
図１０は、プリスケジューリング装置６０１の三つ目の例示的構造を示す。図１０に示すように、プリスケジューリング装置６０１は、プリスケジューリング部６０１１’’と、通信部６０１２’’と、確定部６０１３’’とを含む。
【００６１】
図９に示すプリスケジューリング部６０１１’と同じくプリスケジューリング部６０１１’’は各々の周波数サブバンドに対してプリスケジューリングを行い、当該周波数サブバンドに割り当てるユーザを確定してもよい。また、プロスケジューリング部６０１１’’は、さらに、各周波数サブバンドに割り当てるユーザが周辺ユーザであるか否かを確定してもよい。
【００６２】
通信部６０１２’’は、周波数サブバンドに割り当てるユーザが周辺ユーザである場合において、当該周辺ユーザの協調セルに第１の情報を送信し、上記のとおり、当該第１の情報は前記協調セルが当該周波数リソース上でミュートのときにサービングセルにもたらす性能増幅を示す。また、通信部６０１２’’は隣接セルからの第２の情報を受信してもよく、当該第２の情報はサービングセルが当該周波数サブバンド上でミュートのときに前記隣接セルにもたらす性能増幅を示す。
【００６３】
確定部６０１３’’は第１の情報及び第２の情報に基づいて、前記サービングセルの当該周波数サブバンド上でのオン／ミュート状態を確定する。例えば、いずれかの周波数サブバンドについて、第１の情報の示す性能増幅が第２の情報の示す性能増幅より小さいときは、前記確定部６０１３’’が前記サービングセルの当該周波数サブバンド上でのミュートを確定する。確定部６０１３’’は上記の図５を参照して説明した方法により前記サービングセルの周波数サブバンド上でのオン／ミュート状態を確定してもよいが、ここでは簡易化のため詳しい説明を省略することとする。
【００６４】
本発明の上記実施例によるセルのためのスケジューリング方法及びスケジューリングデバイスを通じて、かなり短い時間間隔（例えば１ｍｓ）でスケジューリングを行うことができ、且つスケジューリングを実行するときにユーザからフィードバックされたチャネル状態情報を考慮でき、前記チャネル状態情報は無線環境の動的変化を反映することができるため、本発明の実施例によるスケジューリング方法及びスケジューリングデバイスを用いて得られるスケジューリング結果は無線環境の変化により好適に対応でき、これによりシステム性能が向上する。
【００６５】
なお、上記スケジューラはハードウェアによって実施されてもよいし、プロセッサによって実行されるソフトウェアモジュールよって実施されてもよいし、両者の組み合わせによって実施されてもよい。ソフトウェアモジュールはＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  Ｐｒｏｇｒａｍｍａｂｌｅ  ＲＯＭ）や、レジスタや、ハードディスクや、リムーバブルディスクや、ＣＤ−ＲＯＭなどのいかなる形式の記憶媒体に設置されてもよい。当該記憶媒体は、プロセッサが当該記憶媒体に情報を読み書きできるように、当該プロセッサに接続されている。また、当該記憶媒体はプロセッサに集積されてもよい。また、当該記憶媒体とプロセッサは専用集積回路（ＡＳＩＣ）内に設置されてもよい。当該ＡＳＩＣは、上記の制御部又は無線基地局ｅＮＢ内に設置されてもよい。また、当該記憶媒体とプロセッサはディスクリートコンポーネントとして上記制御部又は無線基地局ｅＮＢ内に設置されてもよい。
【００６６】
これで本発明の例示的実施例を説明したが、当業者にとっては、請求の範囲及びその均等物により定まる本発明の範囲及び趣旨を逸脱することなく、これらの例示的実施例に対して各種形式及び細部の変更を施してもよいことは明らかである。
【図１】
2014239439.tif 000004
【図２】
2014239439.tif 000005
【図３】
2014239439.tif 000006
【図４】
2014239439.tif 000007
【図５】
2014239439.tif 000008
【図６】
2014239439.tif 000009
【図７】
2014239439.tif 000010
【図８】
2014239439.tif 000011
【図９】
2014239439.tif 000012
【図１０】
2014239439.tif 000013